(57)【要約】【課題】  ＳＤカード等の記録媒体の接続部である端子部を浴室内に設置する装置に設けても、確実に防水・遮水を担保し得る浴室内設置装置を提供する。【解決手段】  例えば浴室テレビに対し、ＳＤカードやＢ−ＣＡＳカードを装着するための端子部を設け、これを開閉蓋により覆って遮水・防水する。閉状態にあることを検知するための閉スイッチと、閉状態にロックされていることを検知するためのロックスイッチとを設ける。閉状態にあり、ロック状態にあることを条件に、使用者による操作に基づく通常制御を許可する（Ｓ１，Ｓ２で共にＹＥＳ、Ｓ３）。閉状態でなければ、又は、ロック状態でなければ（Ｓ１，Ｓ２でＮＯ）、警告や案内報知した上で（Ｓ４）、操作信号に基づく作動を禁止して強制的に運転用電源をＯＦＦにする（Ｓ５）。【選択図】      図９
2014128028.tif 000002
【特許請求の範囲】
【請求項１】
データの入出力を行うための端子部を備えた浴室内設置装置であって、
前記端子部を覆って閉止した閉状態及び前記記録媒体を着脱するために露出した開状態に開閉変換可能に設けられた開閉蓋と、この開閉蓋を閉状態に保持したロック状態及び開閉変換のためにロック解除されたロック解除状態に変換するためのロック機構と、このロック機構により前記開閉蓋がロック状態にあることを検知するロック検知手段と、ロック監視処理手段と、報知手段とを備え、
前記ロック監視処理手段は、前記ロック検知手段からの検知情報に基づき前記開閉蓋がロック状態ではないことを検知したとき、前記報知手段によりロック状態への変換操作を促す報知を実行するように構成されている、
ことを特徴とする浴室内設置装置。
【請求項２】
請求項１に記載の浴室内設置装置であって、
操作のための操作信号を出力するための操作部を備え、
前記ロック監視処理手段は、前記操作部からの操作信号の出力を受けた場合に、前記ロック検知手段からの検知情報に基づき前記開閉蓋がロック状態ではないことを検知したとき、前記報知手段によりロック状態への変換操作を促す報知を実行するように構成されている、浴室内設置装置。
【請求項３】
請求項２に記載の浴室内設置装置であって、
前記ロック監視処理手段は、前記報知手段によりロック状態への変換操作を促す報知を実行したとき、前記操作部から出力された操作信号をキャンセルするように構成されている、浴室内設置装置。
【請求項４】
請求項１〜請求項３のいずれかに記載の浴室内設置装置であって、
前記ロック監視処理手段は、前記報知手段によりロック状態への変換操作を促す報知を、前記ロック検知手段によりロック状態が検知されるまでの間、定期的に繰り返すように構成されている、浴室内設置装置。
【請求項５】
請求項１〜請求項４のいずれかに記載の浴室内設置装置であって、
前記端子部は記録媒体を着脱可能に接続するための挿入口を備えたものであり、この挿入口には前記記録媒体が装着されていることを検知するための装着検知部を備えており、
前記ロック監視処理手段は、前記ロック検知手段からの検知情報に基づき前記開閉蓋がロック状態からロック解除状態への変化を検知したときに、前記装着検知部からの検知情報に基づき前記記録媒体が装着されていると検知されている場合には前記報知手段により前記記録媒体を取り外すための手順を報知する一方、前記装着検知部からの検知情報に基づき前記記録媒体が装着されていないと検知されている場合には前記報知手段により前記記録媒体を装着するための手順を報知するように構成されている、浴室内設置装置。
【請求項６】
請求項１〜請求項５のいずれかに記載の浴室内設置装置であって、
前記ロック機構は、前記端子側に形成された係合孔と、前記開閉蓋の閉状態においてその内面から前記端子部に向けて突出して前記係合孔に挿通可能な係合部とを備え、前記係合部の軸回りの回転操作により前記係合部の周面から突出する係合片と、前記係合孔の孔縁部とが係脱可能に互いに係合するように構成され、
前記ロック検知手段は、前記係合部の回転操作後の係合片の近接を磁気的に検知するように構成されている、浴室内設置装置。
【請求項７】
請求項１〜請求項６のいずれかに記載の浴室内設置装置であって、
浴室内に設置された浴室用テレビ受像機により構成されている、浴室内設置装置。
【発明の詳細な説明】
【技術分野】
【０００１】
本発明は、浴室内に設置される浴室内設置装置に関し、特に種々のデータを記録させたり、あるいは、特定情報（解除キー等）が記録されたＳＤカードやＢ−ＣＡＳカード等の記録媒体を接続したり、するための端子部を備えた浴室内設置装置に関する。
【背景技術】
【０００２】
従来、浴室の壁面等に設置される浴室用テレビ受像機が知られている。このような浴室用テレビ受像機においては、入浴のために浴室が使用される場合には、浴室内に湯気が立ち込め、湯水がかかるおそれがあるため、浴室内にはモニター部のみを設置し、チューナー部や、Ｂ−ＣＡＳカードを接続するための端子部（カード用スロット）を浴室外に別途設置することが提案されている（例えば特許文献１参照）。
【先行技術文献】
【特許文献】
【０００３】
【特許文献１】特開２００８−０２２３５０号公報
【発明の概要】
【発明が解決しようとする課題】
【０００４】
しかしながら、浴室においてテレビ番組を視聴しているときに録画したい場合が生じたり、あるいは、モニター部に予め録画等した映像を映し出したい場合が生じたりする。このような場合を想定して、ＳＤカード等の記録媒体を接続するための端子部を設置することが要請されている。このようなＳＤカード等の場合、Ｂ−ＣＡＳカードと異なり、より頻繁に着脱を繰り返すという使用動向が想定されるため、浴室外ではなくて浴室内に端子部を設置することが、使用者の便宜となる。その一方、浴室内に端子部を設置する場合には，防水や遮水を特に配慮する必要がある。
【０００５】
本発明は、このような事情に鑑みてなされたものであり、その目的とするところは、ＳＤカード等の記録媒体の接続部である端子部を浴室内に設置する装置に設けても、確実に防水・遮水を担保し得る浴室内設置装置を提供することにある。
【課題を解決するための手段】
【０００６】
上記目的を達成するために、データの入出力を行うための端子部を備えた浴室内設置装置を対象にして、次の特定事項を備えることとした。すなわち、前記端子部を覆って閉止した閉状態及び前記記録媒体を着脱するために露出した開状態に開閉変換可能に設けられた開閉蓋と、この開閉蓋を閉状態に保持したロック状態及び開閉変換のためにロック解除されたロック解除状態に変換するためのロック機構と、このロック機構により前記開閉蓋がロック状態にあることを検知するロック検知手段と、ロック監視処理手段と、報知手段とを備えることとした。そして、前記ロック監視処理手段として、前記ロック検知手段からの検知情報に基づき前記開閉蓋がロック状態ではないことを検知したとき、前記報知手段によりロック状態への変換操作を促す報知を実行する構成とした（請求項１）。
【０００７】
この発明の場合、開閉蓋が閉状態にあってもロック状態になっていなければ、あるいは、開閉蓋が閉状態ではないためにロック状態になっていなければ、ロック状態への変換操作を促す警告や案内のための報知が使用者に行われるため、使用者の注意を喚起することができ、これにより、開閉蓋を閉状態にしてロック状態にすることが可能となる。このため、特に使用者のうっかりミスや、気付かないこと等に起因する端子部の遮水性，防水性に係る障害発生を確実に回避し得ることとなり、端子部の遮水性，防水性を担保し得ることとなる。
【０００８】
本発明の浴室内設置装置において、操作のための操作信号を出力するための操作部をさらに備え、ロック監視処理手段として、操作部からの操作信号の出力を受けた場合に、ロック検知手段からの検知情報に基づき開閉蓋がロック状態ではないことを検知したとき、報知手段によりロック状態への変換操作を促す報知を実行する構成とすることができる（請求項２）。このようにすることにより、使用者に対しロック状態への変換をより確実に促すことが可能になる。すなわち、操作部による操作に対応して、報知手段から案内報知されるため、使用者は即座にロック状態にはないこと、ロック状態に変換する必要のあることを認識し得ることになる。
【０００９】
この場合に、ロック監視処理手段として、報知手段によりロック状態への変換操作を促す報知を実行したとき、操作部から出力された操作信号をキャンセルする構成とすることができる（請求項３）。このようにすることにより、使用者に対しロック状態への変換をより一層確実に促すことが可能になる。すなわち、使用者が操作部により操作したにも拘わらず、その操作信号がキャンセルされて、その操作に対応する作動が行われないため、使用者の注意喚起がより確実となり、使用者は即座にロック状態にはないこと、ロック状態に変換操作を強く促し得ることになる。
【００１０】
又、本発明の浴室内設置装置において、ロック監視処理手段として、報知手段によりロック状態への変換操作を促す報知を、ロック検知手段によりロック状態が検知されるまでの間、定期的に繰り返す構成とすることができる（請求項４）。このようにすることにより、使用者が報知を聞き逃したとしても、報知が繰り返されるため、使用者への報知・周知に係る確実性を担保し得ることになる。
【００１１】
本発明の浴室内設置装置において、端子部を、記録媒体を着脱可能に接続するための挿入口を備えたもとし、この挿入口には記録媒体が装着されていることを検知するための装着検知部を備え、ロック監視処理手段として、ロック検知手段からの検知情報に基づき開閉蓋がロック状態からロック解除状態への変化を検知したときに、装着検知部からの検知情報に基づき記録媒体が装着されていると検知されている場合には報知手段により記録媒体を取り外すための手順を報知し、装着検知部からの検知情報に基づき記録媒体が装着されていないと検知されている場合には報知手段により記録媒体を装着するための手順を報知する構成とすることができる（請求項５）。このようにすることにより、ロック状態か否かの検知情報と、記録媒体の装着検知情報とに基づいて、使用者が記録媒体の交換操作を意図しているか、あるいは、未装着の記録媒体を新たに装着しようとしているかの別を確実に把握し得ることになる。そして、この把握に基づいて、使用者に対し記録媒体の交換手順又は装着手順の案内をタイムリーに行い得ることとなり、使用者にとって便宜なものとなる。
【００１２】
本発明の浴室内設置装置において、ロック機構として、端子部側に形成された係合孔と、開閉蓋の閉状態においてその内面から端子部に向けて突出して係合孔に挿通可能な係合部とを備え、係合部の軸回りの回転操作により係合部の周面から突出する係合片と、係合孔の孔縁部とが係脱可能に互いに係合する構成とし、ロック検知手段として、係合部の回転操作後の係合片の近接を磁気的に検知する構成とすることができる（請求項６）。このようにすることにより、開閉蓋を容易でしかも確実にロック状態にすることが可能となり、しかも、ロック状態か否かの検知も確実に行い得ることとなる。
【００１３】
以上の浴室内設置装置として、浴室内に設置された浴室用テレビ受像機により構成することができる（請求項７）。
【発明の効果】
【００１４】
以上、説明したように、本発明の浴室内設置装置によれば、開閉蓋が閉状態にあってもロック状態になっていなければ、あるいは、開閉蓋が閉状態ではないためにロック状態になっていなければ、ロック状態への変換操作を促す警告や案内のための報知を使用者に行うようにしているため、使用者の注意を喚起することができ、これにより、開閉蓋を閉状態にしてロック状態にすることができるようになる。このため、特に使用者のうっかりミスや、気付かないこと等に起因する端子部の遮水性，防水性に係る障害発生を確実に回避することができ、端子部の遮水性，防水性を担保することができるようになる。
【００１５】
特に、請求項２の浴室内設置装置によれば、操作のための操作信号を出力するための操作部をさらに備え、ロック監視処理手段として、操作部からの操作信号の出力を受けた場合に、ロック検知手段からの検知情報に基づき開閉蓋がロック状態ではないことを検知したとき、報知手段によりロック状態への変換操作を促す報知を実行する構成とすることにより、操作部による操作に対応して、報知手段から案内報知されるため、使用者に対し、即座にロック状態にはないこと、ロック状態に変換する必要のあることを認識させることができ、使用者に対しロック状態への変換をより確実に促すことができる。
【００１６】
請求項３の浴室内設置装置によれば、ロック監視処理手段として、報知手段によりロック状態への変換操作を促す報知を実行したとき、操作部から出力された操作信号をキャンセルする構成とすることにより、使用者に対しロック状態への変換をより一層確実に促すことができる。すなわち、使用者が操作部により操作したにも拘わらず、その操作信号がキャンセルされて、その操作に対応する作動が行われないため、使用者の注意喚起をより確実に実現させることができ、使用者に対し即座にロック状態にはないこと、ロック状態に変換操作を強く促すことができるようになる。
【００１７】
請求項４の浴室内設置装置によれば、ロック監視処理手段として、報知手段によりロック状態への変換操作を促す報知を、ロック検知手段によりロック状態が検知されるまでの間、定期的に繰り返す構成とすることにより、使用者が報知をたとえ聞き逃したとしても、報知を繰り返すようにしているため、使用者への報知・周知に係る確実性を担保することができる。
【００１８】
請求項５の浴室内設置装置によれば、端子部として記録媒体を着脱可能に接続するための挿入口を備えたものとし、この挿入口には記録媒体が装着されていることを検知するための装着検知部を備え、ロック監視処理手段として、ロック検知手段からの検知情報に基づき開閉蓋がロック状態からロック解除状態への変化を検知したときに、装着検知部からの検知情報に基づき記録媒体が装着されていると検知されている場合には報知手段により記録媒体を取り外すための手順を報知する一方、装着検知部からの検知情報に基づき記録媒体が装着されていないと検知されている場合には報知手段により記録媒体を装着するための手順を報知する構成とすることにより、ロック状態か否かの検知情報と、記録媒体の装着検知情報とに基づいて、使用者が記録媒体の交換操作を意図しているか、あるいは、未装着の記録媒体を新たに装着しようとしているかの別を確実に把握することができるようになる。そして、この把握に基づいて、使用者に対し記録媒体の交換手順又は装着手順の案内をタイムリーに行うことができ、使用者にとって便宜なものとなる。
【００１９】
請求項６の浴室内設置装置によれば、ロック機構として、端子部側に形成された係合孔と、開閉蓋の閉状態においてその内面から端子部に向けて突出して係合孔に挿通可能な係合部とを備え、係合部の軸回りの回転操作により係合部の周面から突出する係合片と、係合孔の孔縁部とが係脱可能に互いに係合する構成とし、ロック検知手段として、係合部の回転操作後の係合片の近接を磁気的に検知する構成とすることにより、開閉蓋を容易でしかも確実にロック状態にすることができ、しかも、ロック状態か否かの検知も確実に行うことができるようになる。
【００２０】
請求項７の浴室内設置装置によれば、浴室内に設置された浴室用テレビ受像機を対象に本発明を適用することで、具体的に本発明による効果を得ることができる。
【図面の簡単な説明】
【００２１】
【図１】本発明の実施形態に係る浴室内設置装置を設置した浴室例を示す部分斜視図である。
【図２】浴室内設置装置の例として浴室テレビを斜視図状態で示す説明図である。
【図３】図２の浴室テレビに設けられた端子部であって、開閉蓋が開いた状態の端子部の部分拡大斜視図である。
【図４】開閉蓋の壁部を省略して斜視図状態で示すロック機構の説明図である。
【図５】開閉蓋を閉じた状態におけるロック機構の嵌合孔の部分正面断面図である。
【図６】図５のＡ−Ａ線における断面説明図である。
【図７】図５の開閉蓋の閉状態からロック状態にした状態における図６対応図である。
【図８】制御ブロック図である。
【図９】第１実施形態の制御フローチャートである。
【図１０】第２実施形態の制御フローチャートである。
【発明を実施するための形態】
【００２２】
以下、本発明の実施形態を図面に基づいて説明する。
【００２３】
図１は、本発明の実施形態に係る浴室内設置装置として浴室用テレビ受像機（以下、単に「浴室テレビ」という）２が浴槽３を囲む壁面に設置された浴室の部分斜視図である。なお、同図中の符号４は前記壁面に設置された風呂リモコンである。
【００２４】
浴室テレビ２には、図２に示すように、本体ケース２０の前面に表示部２１，電源スイッチ２２や各種の操作部を構成する操作パネル２３が設けられ、本体ケース２０の側面に端子部５が設けられている。操作パネル２３は、種々の操作部（例えばメニューボタン，チャンネルボタン，ボリュームボタン等）が静電容量スイッチ（タッチセンサ）により構成され、使用者が指で触れることで操作可能となっている。このような浴室テレビ２は全体が防水仕様に形成されている。
【００２５】
端子部５は、開閉蓋５１を備え、その外面に設けられた操作部５２を操作（例えば回転操作）することでロック操作やロック解除が可能となり、あるいは、把持することで開閉操作が可能となっている。図２には開閉蓋５１が閉じられた状態を示し、図３には開閉蓋５１が開かれた状態を示している。開閉蓋５１の開閉機構は種々のものを採用することができ、図例のものは、開閉蓋５１の下縁部を浴室テレビ２の本体ケース２０に対し水平軸X回りに揺動回転可能に軸支させた例を示している。又、図２の例において、操作部５２の操作レバー５２１が横向きの状態では開閉蓋５１はロック解除状態でかつ開操作が可能な状態となり、縦向き（下向き又は上向き）の状態では閉状態でかつロック状態となる。
【００２６】
以下、端子部５について詳細に説明する。端子部５は、図３に示すように、開閉蓋５１を開状態にすれば内部の正面壁５３が表れ、この正面壁５３に対し下からＢ−ＣＡＳカードを挿抜するための挿入口（挿入スロット）５３１，ＳＤカードを挿抜するための挿入口５３２，ロック機構を構成する係合孔５４，及び，開閉検知孔５５１がそれぞれ開口するように形成されている。これら挿入口５３１，５３２には、Ｂ−ＣＡＳカードやＳＤカード等の記録媒体が挿入されて接続されれば、その装着検知信号を後述のコントローラ７に出力するための装着検知部も付設されている。
【００２７】
一方、開閉蓋５１の内面には、開閉検知ロッド５５２及びロック機構を構成する係合部５６が形成され、開閉蓋５１が閉状態に変換されることで、後述の如く、開閉検知ロッド５５２が開閉検知孔５５１に挿入・貫通されて閉検知が可能となると共に、係合部５６が係合孔５５に挿入・貫通されてロック操作が可能となる。係合部５６は、図４に詳細を示すように、開閉蓋５１を貫通するようＹ軸に沿って延びるロッド部５２２によって、操作部５２と一体に結合されており、操作部５２の操作レバー５２１をＹ軸回りに回転操作することで係合部５６が同期してＹ軸回りに回転作動されるようになっている。係合部５６は、円柱状の本体部５６１と、本体部５６１の先端側（内方側）の周面からＹ軸を中心とする放射方向に突出するよう一体に形成された１以上（図例では２つ）の係合片５６２，５６２とを備えている。これら係合片５６２，５６２は、操作レバー５２１がロック解除位置（例えば図４に実線で示す横向き位置）にあるときに横向きに突出し、操作レバー５２１がロック位置（例えば図４に二点鎖線で示す下向き位置）にあるとき上下の縦向きに突出するようになっている。なお、これらの横向き又は下向きは例示である。なお、図４中の符号５１１は防水用のシール部材であり、正面壁５３の適所と弾性接触することにより開閉蓋５１と正面壁５３との間の遮水の役割を果たすようになっている。
【００２８】
係合孔５４は、図５にも示すように、係合部５６の本体部５６１を受け入れ可能なサイズの大径孔部５４１と、前記の操作レバー５２１がロック解除位置にあるときの係合片５６２，５６２を受け入れ可能な挿通孔部５４２，５４２とで構成されている。これら大径孔部５４１と挿通孔部５４２，５４２とからなる係合孔５４は、開閉蓋５１が水平軸Ｘ回りに閉方向に回転操作された際に、前記のロック解除位置にある係合部５６が挿入可能に配置されている。
【００２９】
又、正面壁５３の背後（内側）には、開閉蓋５１が閉状態で有ることを検知するための閉スイッチ６１（図６参照）が設けられている。この閉スイッチ６１は、開閉蓋５１が閉状態に変換されて、開閉検知ロッド５５２が開閉検知孔５５１に挿入・貫通されたときに、開閉検知ロッド５５２が閉スイッチ６１を押圧することでスイッチＯＮ（閉検知）となり、開閉検知ロッド５５２が離れることでスイッチＯＦＦ（開検知）となるようになっている。図６には、開閉検知ロッド５５２が閉スイッチ６１を押圧してスイッチＯＮになった状態を図示している。
【００３０】
加えて、正面壁５３の背後（内側）には、開閉蓋５１が閉状態であって、かつ、係合部５６がロック状態にあることを検知するためのロックスイッチ６２（図６又は図７参照）が設けられている。このロックスイッチ６２は、例えばホール素子により構成され、開閉蓋５１が閉状態に変換された状態で、係合部５６がＹ軸回りにロック側に回転操作されたときに、その係合部５６の係合片５６２，５６２のいずれかがロック操作位置に至ったことでＯＮ信号を出力（ロック状態検知）するようになっている。つまり、ＯＮ信号の出力がない状態であれば、係合片５６２，５６２はロック操作位置以外の位置にあり、ロック状態ではないことの検知が行われる。以上の閉スイッチ６１や、ロックスイッチ６２を共にホール素子で構成することも可能であり、あるいは、その他の近接スイッチや、機械式の接触スイッチ等で構成することも可能である。
【００３１】
次に、開閉蓋５１を開状態（例えば図３参照）から閉状態に閉操作するには、開閉蓋５１を水平軸Ｘ回りに回転させて、その内面で端子部５の正面壁５３を覆うようにする。すると、開閉検知ロッド５５２（例えば図６参照）が開閉検知孔５５１に挿通され、その先端が閉スイッチ６１と接触して閉スイッチ６１を押圧することになり、これにより、後述のコントローラ７に閉検知信号が出力されると同時に、係合部５６（例えば図４参照）が係合孔５４に挿通されることになる。この際、係合部５６の両係合片５６２，５６２は、係合孔５４の両挿通孔部５４２，５４２を挿通して、係合孔５４の内側に突き抜けた状態で閉状態に至ることになる。このような開閉検知ロッド５５２，開閉検知孔５５１及び閉スイッチ６１によって、閉検知手段が構成されている。
【００３２】
そして、この開閉蓋５１の閉状態からロック状態に変換するには、操作レバー５２１をロック操作位置（図４の二点鎖線で示す位置参照）までＹ軸回りに回転操作する。すると、係合部５６の両係合片５６２，５６２（図５参照）がＹ軸回りに回転して上下方向に向いたロック状態、すなわち、係合孔５４（図７参照）の内側側の孔縁部と接触・係合し、これにより、開閉蓋５１が開方向（図３の水平軸Ｘ回りに反時計方向）への回転移動が阻止されたロック状態に至ることになる。この際、各係合片５６２の先端側に埋め込まれた永久磁石５６３の近接をロックスイッチ６２が検知してロック状態検知信号が後述のコントローラ７に出力されることになる。このような、操作部５２により操作される係合部５６及び係合孔５４によってロック機構が構成され、ロックスイッチ６２によってロック検知手段が構成されている。
【００３３】
＜第１実施形態＞
第１実施形態のコントローラ７（図８参照）は、通常制御部７１に加えて、閉監視処理部７２，ロック監視処理部７３及び報知処理部７４を備えている。通常制御部７１は、各種操作部（操作パネル）２３からの各種操作信号の出力を受けて、それに対応した作動制御（例えば、通常のチャネル変更やボリューム調整に加え、予め設定された各種メニューから選択された作動制御）を実行するようになっている。各種メニューには、挿入口５３１へのＢ−ＣＡＳカードの挿抜や、挿入口５３２へのＳＤカードの挿抜を行う際に選択される操作メニューも含まれている。閉監視処理部７２やロック監視処理部７３は、開閉蓋５１が閉状態でかつロック状態にあるか否かを監視して、開閉蓋５１が閉じていること、かつ、ロック状態にあることを条件に浴室テレビ２の各種操作を許可する一方、閉状態ではない、又は、ロック状態でなければ、浴室テレビ２の各種操作信号をキャンセルして強制的に浴室テレビ作動用の電源供給をＯＦＦ（以下「電源ＯＦＦ」という）に変換したり、電源ＯＦＦの状態に固定したりすることを、基本処理として備えている。併せて、これらの監視対象の状況に応じて、報知処理部７４により使用者に対し案内情報（ガイダンス）や警告情報を報知させるようになっている。報知処理部７４による報知は、監視対象の状況に応じて、表示部２１に対し文字情報を表示したり、音声出力部から音声案内したり、あるいは、警告ブザーを吹鳴させたり、するようになっている。表示部２１及び／又は浴室テレビ２の音声出力部が報知手段を構成する。又、ロック監視処理部７３及び報知処理部７４がロック監視処理手段を構成する。
【００３４】
以下、図９のフローチャートを参照しつつ、具体的に説明する。この監視処理は、電源スイッチ２２がＯＮされたときにスタートするようにしてもよいし、あるいは、電源スイッチ２２がＯＮされていなくても監視処理のために外部から電源供給を受けてスタートさせるようにしてもよい。後者の場合には、常時監視処理が可能となる。まず、閉監視処理部７２において開閉蓋５１が閉状態にあるか否かを閉スイッチ６１からの閉検知信号の出力が有るか無いかに基づいて判定する（ステップＳ１）。閉検知信号の出力があり開閉蓋５１が閉状態であれば（ステップＳ１でＹＥＳ）、次に、ロック監視処理部７３においてロック状態にあるか否かをロックスイッチ６２からのＯＮ信号の出力が有るか無いかに基づいて判定する（ステップＳ２）。ロックスイッチ６２からのＯＮ信号があり、ロック状態になっていれば（ステップＳ２でＹＥＳ）、通常制御部７１による通常制御を許可してリターンし（ステップＳ３）、ステップＳ１の閉状態に有るか否か、及び、ステップＳ２のロック状態に有るか否かの監視を継続する。
【００３５】
ステップＳ１で開閉蓋５１が閉状態で無ければ（ステップＳ１でＮＯ）、案内処理部７４に指令を発して警告及び案内のための報知を行い（ステップＳ４）、使用者の操作に基づき各種操作部２３から操作信号が出力されても、それをキャンセルしたり、電源スイッチ２２による電源ＯＮの操作信号が出力されても、それを強制的にＯＦＦしたり、する処理を実行する（ステップＳ５）。前記のステップＳ４での報知としては、例えば「蓋が開いています。このままでは浴室テレビを使用することはできません。蓋を閉じてロックして下さい。」との案内を報知する。なお、開閉蓋５１が閉じてはいない、つまり開状態にあるときは当然にロック状態でもないため、前記のステップＳ４での報知と、ステップＳ５での処理とを行うようにしている。又、各種操作信号２３からの操作信号には、メニュー選択からのＳＤカード等の挿入・交換操作も含まれ、閉状態ではないにも拘わらず、かかる挿入・交換操作の選択信号が出力された場合には、案内処理部７４により例えば次のような案内報知を行う。すなわち、「蓋が開いています。ＳＤカード等の挿入・交換操作を続行するには、水濡れ等の異常が無いことを確認して下さい。」との案内報知を行う。
【００３６】
又、ステップＳ２で開閉蓋５１が閉じてはいるがロック状態では無ければ（ステップＳ２でＮＯ）、案内処理部７４に警告報知等を実行するよう指令を発した上で（ステップＳ６）、前記のステップＳ５と同様に、使用者の操作に基づき各種操作部２３から操作信号が出力されても、それをキャンセルしたり、電源スイッチ２２による電源ＯＮの操作信号が出力されても、それを強制的にＯＦＦしたり、する処理を実行する（ステップＳ７）。ステップＳ６での報知としては、「蓋がロックされていません。このままでは水濡れのおそれがあります。速やかにロックして下さい。蓋を閉じた状態で操作レバーを下向きに回して下さい。」との警告及び案内のための報知を行う。
【００３７】
以上の場合、開閉蓋５１が閉じていなければ、あるいは、ロック状態になっていなければ、警告及び案内のための報知を使用者に行うようにしているため、使用者の注意を喚起して、開閉蓋５１を閉状態にしたり、ロック状態にしたり、促すことができる。しかも、浴室テレビ２に対する操作信号が出力されても、キャンセルして各種操作を禁止するようにしているため、あるいは、加えて電源スイッチ２２のＯＮ操作が行われても、それを強制的に電源ＯＦＦにするようにしているため、使用者の注意喚起をより確実に行うことができ、特にロック状態に変換して維持させることをより確実に実現させることができる。
そして、開閉蓋５１が閉じていなければ、加えて、ロック状態になっていなければ、浴室テレビ２を操作又は使用することができないようにしているため、特に使用者のうっかりミスや、気付かないこと等に起因する端子部５の遮水性，防水性に係る障害発生をより確実に回避することができる。
【００３８】
＜第２実施形態＞
第２実施形態のコントローラ７（図８参照）は、第１実施形態のコントローラ７の構成（通常制御部７１、閉監視処理部７２，ロック監視処理部７３及び報知処理部７４）に加え、水滴監視処理部７５及び湿度監視処理部７６を併せて備えている。これに伴い、浴室テレビ２には、水滴検知部６３及び湿度センサ６４（図２も参照）も併せて設けられている。水滴検知部６３は浴室テレビ２の外表面に水滴が付着しているか否かを検知するためのものであり、種々の検知手段を採用することができる。本実施形態では、例えば操作パネル２３を構成する静電容量スイッチから出力される静電容量の変化に基づいて水滴付着の有無を検知するようにしている。
【００３９】
そして、第２実施形態では、図１０のフローチャートに示すように、水滴監視処理部７５及び湿度監視処理部７６による監視処理も第１実施形態の監視処理（図９参照）に加えている。すなわち、ステップＳ１１，Ｓ１６，Ｓ１７での開閉蓋５１が閉状態に有るか否かの閉監視処理部７２による監視処理を第１実施形態の監視処理（図９のステップＳ１，Ｓ４，Ｓ５）と同様に行い、又、ステップＳ１２，Ｓ１８，Ｓ１９での開閉蓋５１がロック状態に有るか否かのロック監視処理部７３による監視処理を、第１実施形態の監視処理（図９のステップＳ２，Ｓ６，Ｓ７）と同様に行い、ステップＳ１２でロック状態であることを検知した場合には（ステップＳ１２でＹＥＳ）、さらに水滴監視処理部７５による水滴付着の監視処理を実行する。すなわち、水滴付着の有無を水滴検知部６３からの検知情報に基づき判定し（ステップＳ１３）、水滴が付着していれば、案内処理部７４に指令を発して警告・案内のための報知処理を実行した上で（ステップＳ２０）、水滴付着が無くなるまで、第１実施形態のステップＳ５，Ｓ７と同様に、使用者の操作に基づき各種操作部２３から操作信号が出力されても、それをキャンセルしたり、電源スイッチ２２による電源ＯＮの操作信号が出力されても、それを強制的にＯＦＦしたり、する処理を実行する（ステップＳ１７）。ステップＳ２０の報知としては、例えば「水滴が付着しています。水滴を拭き取って下さい。このままでは、ＳＤカード等の挿入・交換操作をしてはいけません。」との警告及び案内を行う。
【００４０】
ステップＳ１３で水滴付着が無ければ（ステップＳ１３でＮＯ）、さらに湿度監視処理部７６による湿度監視処理を実行する。すなわち、湿度センサ６４からの検知出力に基づき一定以上の湿度であれば（ステップＳ１４でＹＥＳ）、案内処理部７４に指令を発して警告・案内のための報知処理を実行する（ステップＳ２１）。この報知としては、例えば「湿度が高いため、ＳＤカード等の挿入・交換操作をしてはいけません。」との警告及び案内を行う。この場合は、浴室テレビの視聴等の使用自体には問題ないため、操作信号をキャンセルすることなく、通常制御部７１による通常制御を許可する（ステップＳ２１の後にリターン）。
【００４１】
第２実施形態によれば、第１実施形態による作用効果に加え、水滴付着や多湿度等の影響をも考慮して使用者に適切な情報を案内することができ、ＳＤカード等の挿入・交換操作を防水性の担保を図った状態で適切に行わせることができる。
【００４２】
＜他の実施形態＞
なお、本発明は上記第１及び第２実施形態に限定されるものではなく、その他種々の実施形態を包含するものである。すなわち、挿入口５３１，５３２にＳＤカード等が装着されたことを装着検知部からの出力により検知した後に、開閉蓋５１がロック状態からロック解除状態に変化した場合には、案内処理部７４に指令を発して、ＳＤカード等の抜去及び新たな挿入のための手順に係る情報を報知するようにしてもよい。例えば「抜去したいカードを少し押圧して接続を解除し、これにより、外側に飛び出せば、これを引き抜いて下さい」というように案内報知を文字表示や音声ガイドにより行えばよい。又、前記の装着検知部から装着検知出力が無い状態で開閉蓋５１がロック状態からロック解除状態に変化した場合には、ＳＤカード等の挿入のための手順に係る情報を報知するようにしてもよい。例えば、「挿入したいカードに対応した挿入口に差し込んで、カチッと音がするまで押し込んで下さい。」というように案内報知を文字表示や音声ガイドにより行えばよい。
【００４３】
第１又は第２実施形態では、警告・案内報知と、操作信号キャンセル・電源ＯＦＦ化とを組み合わせているが（Ｓ４とＳ５，Ｓ６とＳ７，Ｓ１６とＳ１７，Ｓ２０とＳ１７，Ｓ１８とＳ１９）、これに限らず、いずれか一方の処理だけ行うようにしてもよい。さらに、ステップＳ５，Ｓ７，Ｓ１７，Ｓ１９において、それぞれ操作信号キャンセル化と、電源ＯＦＦ化との双方を行うようにしているが、いずれか一方の処理だけ行うようにしてもよい。
【００４４】
第１又は第２実施形態における警告・案内報知（ステップＳ４，Ｓ６，Ｓ１６，Ｓ１８，Ｓ２０，Ｓ２１）は、１回だけではなくて、ロック状態が検知されるまで、定期的に警告・案内報知を繰り返すようにしてもよい。
【００４５】
操作部２３として、浴室テレビ２それ自体に設けられたもの以外に、例えば浴室テレビ２用のテレビリモコンにより代用又は共に使用可能に構成してもよく、この場合にもテレビリモコンからの無線信号により入力される操作信号も、例えばステップＳ５（図９参照）等の各ステップにおけるキャンセル対象に含まれる。
【００４６】
第１又は第２実施形態では、浴室内設置装置として浴室テレビ２を対象にして説明したが、これに限らず、浴室内設置装置として風呂リモコン４を対象にして本発明を適用するようにしてもよい。すなわち、風呂リモコン４にもＳＤカード等の記録媒体を装着するための端子部（端子部５と同構成）が設けられ、これを対象にして第１実施形態又は第２実施形態の監視処理を適用するようにしてもよい。これにより、浴室テレビ２の場合と同様の作用効果を得ることができる。
【符号の説明】
【００４７】
２      浴室テレビ（浴室内設置装置）
４      風呂リモコン（浴室内設置装置）
５      端子部
２１    表示部（報知手段）
２３    操作部
５１    開閉蓋
５４    係合孔
５６    係合部
６２    ロックスイッチ（ロック検知手段）
７３    ロック監視処理部（ロック監視処理手段）
７４    報知処理部（ロック監視処理手段）
５３１，５３２    挿入口
５６２            係合片
Ｙ                軸
【図１】
2014128028.tif 000003
【図２】
2014128028.tif 000004
【図３】
2014128028.tif 000005
【図４】
2014128028.tif 000006
【図５】
2014128028.tif 000007
【図６】
2014128028.tif 000008
【図７】
2014128028.tif 000009
【図８】
2014128028.tif 000010
【図９】
2014128028.tif 000011
【図１０】
2014128028.tif 000012